(57)【要約】【課題】同報送信に必要な操作をしたときに、入力宛先の内容の表示と送信要否の確認ができるファクシミリ装置を提供する。【解決手段】ファクシミリ装置１は、表示部１６と、同報送信のために必要な操作を受け付ける操作部１５と、操作部１５より同報送信の宛先が入力されるごとに、入力された宛先を表示し、入力宛先についての同報送信の要否をユーザに確認させ、要否を決定させる確認画面を表示部１６に出力する表示制御部１０とを備えている。【選択図】図３
2009089136.tif 000002
【特許請求の範囲】
【請求項１】
表示部と、同報送信のために必要な操作を受け付ける操作部と、
上記操作部より同報送信の宛先が入力されるごとに、入力された宛先を表示し、該入力宛先についての上記同報送信の要否をユーザに確認させ、要否を決定させる確認画面を上記表示部に出力する表示制御部とを備えていることを特徴とするファクシミリ装置。
【請求項２】
表示部と、同報送信のために必要な操作を受け付ける操作部と、
上記操作部より同報送信の送信操作を受け付けた後に、入力された宛先を表示し、該入力宛先についての上記同報送信の要否を確認させ、要否を決定させる確認画面を上記表示部に出力する表示制御部とを備えていることを特徴とするファクシミリ装置。
【請求項３】
請求項１または２において、
上記操作部は、上記確認画面の表示の有効／無効を設定するための確認画面オン／オフスイッチを備えており、
上記表示制御部は、上記確認画面オン／オフスイッチで設定された有効／無効にもとづいて上記確認画面の表示の有効、無効を制御する、ファクシミリ装置。
【請求項４】
請求項３において、
上記操作部は、同報送信機能の有効／無効を設定するための同報機能オン／オフスイッチをさらに備えており、
上記表示制御部は、上記同報機能オン／オフスイッチによって同報送信機能が無効に設定され、かつ上記確認画面オン／オフスイッチで上記確認画面の表示を有効に設定しているときには、上記確認画面において、同報送信機能の無効から有効への設定変更を実行する、ファクシミリ装置。
【請求項５】
請求項１〜４のいずれか１項において、
上記表示制御部は、上記確認画面において、さらに、操作による宛先の変更を実行する、ファクシミリ装置。
【発明の詳細な説明】
【技術分野】
【０００１】
本発明は、同報送信機能を備えたファクシミリ装置の改良に関する。
【背景技術】
【０００２】
従来の同報送信機能を備えたファクシミリ装置には、複数の宛先を入力後、送信開始キー操作による指示があったときに、確認画面を表示してユーザに同報送信の要否の承認を入力させるものが提案されている（たとえば、特許文献１参照）。このように確認画面で確認させることで、ユーザの意図しない誤操作などによる同報送信を防止することを可能としている。
【０００３】
上記文献の例では、より具体的には、送信操作において２ヶ所以上の宛先が設定された場合に、その旨および設定の要否の問合せを確認画面に表示させて、同報送信の継続あるいは中止を入力させるようにしている。これによって、誤操作などで同報送信を指示して誤送信してしまうことを防止できる。
【特許文献１】特許３６１２９６１号公報
【発明の開示】
【発明が解決しようとする課題】
【０００４】
しかしながら、上記文献に示された確認画面は、複数の宛先が入力された場合に、ユーザに同報送信の継続あるいは中止のみを確認、入力させるものであり、かつ画面には入力済みの宛先は表示されないため、同報送信の操作で入力された詳細な内容の確認はできない。
【０００５】
本発明は、このような事情を考慮して提案されたもので、その目的は、同報送信に必要な操作をしたときに、入力宛先の内容の表示と、送信の要否の確認、決定ができるファクシミリ装置を提供することにある。
【課題を解決するための手段】
【０００６】
上記目的を達成するために、本発明のファクシミリ装置は、表示部と、同報送信のために必要な操作を受け付ける操作部と、操作部より同報送信の宛先が入力されるごとに、入力された宛先を表示し、入力宛先についての同報送信の要否をユーザに確認させ、要否を決定させる確認画面を表示部に出力する表示制御部とを備えている。
【０００７】
また、他の本発明のファクシミリ装置は、表示部と、同報送信のために必要な操作を受け付ける操作部と、操作部より同報送信の送信操作を受け付けた後に、入力された宛先を表示し、入力宛先についての同報送信の要否を確認させ、要否を決定させる確認画面を表示部に出力する表示制御部とを備えている。
【０００８】
また、他の本発明では、操作部は、確認画面の表示の有効／無効を設定するための確認画面オン／オフスイッチを備え、表示制御部は、確認画面オン／オフスイッチで設定された有効／無効にもとづいて上記確認画面の表示の有効、無効を制御する。
【０００９】
さらに、他の本発明では、同報送信機能の有効／無効を設定するための同報機能オン／オフスイッチをさらに備えており、表示制御部は、同報機能オン／オフスイッチによって同報送信機能が無効に設定され、かつ確認画面オン／オフスイッチで確認画面の表示を有効に設定しているときには、確認画面において、同報送信機能の無効から有効への設定変更を実行する。
【００１０】
また、他の本発明では、表示制御部は、確認画面において、さらに、操作による宛先の変更を実行する。
【発明の効果】
【００１１】
本発明のファクシミリ装置によれば、確認画面には、同報送信の操作で入力された宛先が表示されるので、個別の宛先の誤入力を確認でき、また、同報送信の要否を確認、決定できるようになっているため、送信する前に簡単な操作で誤りを正すことができる。
【００１２】
また、同報送信の宛先が入力されるごとに確認画面を表示するようにすれば、早めに訂正ができる。一方、同報送信の送信操作を受け付けた後に確認画面を表示するようにすれば、まとめて訂正ができるので効率がよい。
【００１３】
他の本発明装置によれば、確認画面の表示の有効／無効を設定するための確認画面オン／オフスイッチを備えているので、ユーザに応じた所望の設定ができる。効率を重視する場合には、確認画面を表示させないように、オフに設定しておけばよい。
【００１４】
さらに他の本発明装置によれば、同報機能オン／オフスイッチによって同報送信機能が無効となっている場合でも、確認画面で入力された宛先について同報送信を有効にできるため、同報機能のオン／オフ初期設定にかかわらず随時、送信要否の変更ができ、使い勝手がよい。
【００１５】
さらに他の本発明装置によれば、確認画面で入力された各宛先についての同報送信の要否の確認に加えて、宛先の操作による変更を可能としているため、確認画面において、同報送信機能の要否の設定と組み合わせて使用することができる。そのため、同報送信を開始する前にきめ細かな訂正操作を行うことができ、その結果、同報送信機能の操作の途中で操作をキャンセルして初めからやり直す必要性はほとんどない。
【発明を実施するための最良の形態】
【００１６】
以下に、本発明の実施の形態について、添付図面とともに説明する。なお、ファクシミリ装置は複合機であってもよい。
【００１７】
図１は、本発明の一例であるファクシミリ装置の内部基本構成を示すブロック図である。
【００１８】
このファクシミリ装置１は、ＣＰＵ１０、ＮＣＵ１１、モデム１２、スキャナ１３、読み取った画像データを保存する画像メモリ１４、操作部１５、表示部１６、ＲＯＭ１７、ＲＡＭ１８、プリンタ１９を備えている。
【００１９】
ＣＰＵ１０は、種々のプログラムにしたがって、上記各部を制御するとともに、後述するように、プログラムを実行して、同報送信の要否（同報送信機能の有効／無効）をユーザに決定、確認させる確認画面（図４参照）を表示する表示制御部を構成する。
【００２０】
ＮＣＵ１１は、公衆回線Ｎに対する発信、着信の網制御を行い、モデム１２は、送受信データの変調および復調を行う。これらの構成により、ファクシミリ送受信動作を実行する。
【００２１】
画像メモリ１４には、スキャナ１３で読み取った原稿の画像データが一時的に保存される。
【００２２】
操作部１５は、テンキー、ワンタッチダイヤルキー、送信開始キー、停止キー（以上、不図示）、後述する同報送信の確認画面の有効／無効を設定するための確認画面オン／オフスイッチ１５１、および同報送信機能の有効／無効を設定するための同報機能オン／オフスイッチ１５２などを含む各種キー、スイッチを備えている。これらの確認画面オン／オフスイッチ１５１および同報機能オン／オフスイッチ１５２は、装置ごとにあらかじめ設定するためのスイッチである。また操作部１５は、表示部１６と兼用された操作表示パネル（ＬＣＤ）による操作手段も含んでいる。
【００２３】
表示部１６は操作表示パネル、表示ランプなどで構成される。操作表示パネルには、後述する同報送信の確認画面が表示されるほか、種々のメッセージ、ガイダンス、メニュー画面などが表示される。
【００２４】
ＲＯＭ１７には各種プログラムや定数データが保存され、ＲＡＭ１８には、各種設定データ、可変データなどを保存する領域が確保されている。
【００２５】
プリンタ１９は、読み取った画像や受信した画像を、記録紙トレイなどにセットした記録紙に出力する動作を実行する。
【００２６】
ついで、同ファクシミリ装置１の同報送信の操作についての基本動作について説明する。
【００２７】
図２は、確認画面オン／オフスイッチ１５１と同報機能オン／オフスイッチ１５２の設定の組合せによる同報送信の受付のパターンを示す表である。図３は、同ファクシミリ装置１の基本動作を示すフローチャートである。
【００２８】
本発明は、同報送信を操作する際に確認画面を表示させるようにしたものであるが、本例では上述するように、確認画面オン／オフスイッチ１５１で、確認画面を有効（表示）／無効（非表示）とするかを設定できるようにしている。この確認画面オン／オフスイッチ１５１でオフを設定しておけば、確認画面を表示することなく同報送信ができ、操作の手間が省け、効率を重視できる。
【００２９】
また本例では、上述するように、同報機能オン／オフスイッチ１５２の操作で同報送信機能（以下、同報機能という。）を有効／無効に切替できるようになっている。この同報機能オン／オフスイッチ１５２は、おもに機器の初期設定として利用できる。なお以下では、同報機能オン／オフスイッチ１５２によるオン／オフ設定は、「同報機能のオン／オフ」と記載する。
【００３０】
確認画面オン／オフスイッチ１５１をオフ（無効）に設定した場合に、同報機能がオンであれば同報送信のための宛先入力が常に有効に受付され、同報機能がオフであれば常に入力は無効とされる。
【００３１】
また確認画面オン／オフスイッチ１５１をオン（有効）に設定した場合は、同報機能のオン／オフにかかわらず、同報送信の操作ができ、その操作途中で、確認画面を通じて同報送信の要否を決定できる。つまり、同報機能をオフに設定していても、確認画面で同報送信を承認すれば、同報送信を実行することができる。
【００３２】
確認画面における同報送信の要否の設定は、後述するように、宛先ごとに設定できるようにしてもよいし、すべての入力された宛先について一括に設定できるようにしてもよい。また、確認画面の表示タイミングは、宛先の入力ごとでもよいし、送信開始キーの入力タイミングでもよい。
【００３３】
図２には、この確認画面オン／オフスイッチ１５１と同報機能オン／オフスイッチ１５２との入力の組合せを示しており、同報送信の操作の際には、この表にもとづく図３に示した動作が実行される。以下、図３のフローチャートに沿って説明する。
【００３４】
なお宛先は、テンキーによるフルダイヤル、たとえば３ケタの番号に宛先番号を対応させ、その３ケタの番号を入力させる短縮ダイヤル（短縮番号のすくなくともいずれかの桁をワイルドカード（＊など）で指定するワイルドカードダイヤルも含む）、宛先をグループ番号ごとにグルーピングして、そのグループ番号を入力させるグループダイヤル、ワンタッチダイヤルキー操作などによって入力される。
【００３５】
表示制御部１０は、１つ目の宛先が入力され、その後、停止キーや送信開始キーが操作されるまでに２つ目以降の宛先が入力されると、同報送信の要求があったものと判断し、その宛先の入力のつど、同報機能のオン／オフと確認画面のオン／オフの組合せを判別する（ステップＳ１０１〜Ｓ１０６、Ｓ１１１）。
【００３６】
表示制御部１０は、同報機能がオンで確認画面がオンの場合、確認画面を表示させ、その画面で同報送信の要否を受け付ける（ステップＳ１０５〜Ｓ１１０、図２の番号１）。同報機能がオンで確認画面がオフの場合、入力された宛先をそのまま同報入力として受け付ける（ステップＳ１０５、Ｓ１０６、Ｓ１０９、図２の番号２）。
【００３７】
また、表示制御部１０は、同報機能がオフで確認画面がオンの場合、確認画面を表示させ、その画面で同報送信の要否を受け付ける（ステップＳ１０５、Ｓ１１１、Ｓ１０７〜Ｓ１１０、図２の番号３）。同報機能がオフで確認画面がオフの場合、入力された宛先は同報入力として受け付けない（ステップＳ１０５、Ｓ１１１、Ｓ１１２、図２の番号４）。同報機能がオフで確認画面がオフの場合は、２つ目以降の宛先の入力に対して、同報入力が無効であり、送信開始キーあるいは停止キーの操作を促すような内容のメッセージを表示するようにしてもよい。
【００３８】
表示制御部１０は、宛先の入力操作の途中で送信開始キーが操作されると、それまでに同報入力され、確認画面で確認された宛先について送信を開始する（ステップＳ１０３、Ｓ１１３）。また、操作の途中で停止キーが操作されると、それまでに受け付けた同報入力をすべてキャンセルする。
【００３９】
図４Ａ、Ｂ、Ｃには、操作表示パネルに表示される確認画面の具体的な例を示しており、図３のステップＳ１０７〜Ｓ１１０については、これらの図を参照しながら説明する。なお図４は、操作表示パネルでの画面表示を示したもので、□で囲んだ部分または下線を入れた部分がタッチ操作の可能な箇所を示している。
【００４０】
図４Ａに示した確認画面３０では、直近に入力された宛先についてのみ同報送信の要否（オン／オフ）を入力させるようにしている。直近入力の宛先について、いったんオン／オフが入力され、確認キー３２が操作されると、それ以降の宛先入力の際にはオン／オフの選択はできない。図例は、３つ目の宛先の入力タイミングでの画面表示例を示しており、「ＯＮ」または「ＯＦＦ」のいずれかを選択できる選択キー３１が表示され、いずれかが選択されると、他方の表示が消え、確認キー３２を操作することで確定し、画面はクリアされる。
【００４１】
図４Ｂに示した確認画面３０は、それまでに入力された宛先のすべてについて一括して同報送信の要否（オン／オフ）を入力させるようにしている。選択キー３１でオンを選択して確認キー３２を操作すれば、すべての宛先への送信が有効となる一方、オフを選択して確認キー３２を操作すれば、すべての宛先が無効となる。なおこの図例において、同報送信を無効に設定した場合は、同報送信の操作を停止するようにしてもよい。
【００４２】
図４Ｃに示した確認画面３０は、それまでに入力された宛先のすべてについて個別に同報送信の要否（オン／オフ）を入力させるもので、一覧表形式で表示された各宛先について、オン／オフが選択できる。図例では、１つ目の宛先がオンに設定された状態、２つ目の宛先がオフに設定された状態、３つ目の宛先が未設定の状態で表示されており、３つ目の宛先は選択キー３１でオン／オフの設定ができ、１、２番目の宛先についても選択変更キー３３で設定を変更することができる。なおこの図例において、すべての宛先について同報送信を無効に設定した場合は、同報送信の操作を停止するようにしてもよい。
【００４３】
また、図４Ａ、Ｃの直近に入力された宛先の設定および図４Ｂの全宛先の設定では、「ＯＮ」、「ＯＦＦ」のいずれかを選択させるようにしているが、「ＯＮ」をデフォルト表示させて、確認キー３２の操作のみで同報送信を有効とするようにしてもよい。なお、同報機能がオンの場合には「ＯＮ」をデフォルト表示させ、同報機能がオフの場合には「ＯＦＦ」をデフォルト表示させるようにしてもよい。
【００４４】
また図４Ａにおいて、直近に入力された宛先がグループダイヤル、ワイルドカードによる短縮ダイヤルなどにより複数宛先が指定されている場合は、それら複数の直近の宛先について、オン／オフを選択できるようにしている。
【００４５】
さらに図４Ａ、Ｃでは、下線を入れた宛先３４は、その宛先３４をタッチ操作することで、宛先訂正画面（不図示）が表示され、宛先を修正できるようになっている。この操作は、誤操作などで所望の宛先が入力されていない場合に使用できる。なお、図Ａ、Ｂにおいて、入力されたすべての宛先について修正できるようにしてもよい。また、宛先番号に対して宛先名が登録されている場合は、宛先を宛先名で表示するようにしてもよい。
【００４６】
なお、確認画面は図４の３種のものに限られず、同報入力された宛先への送信の要否の設定と、宛先の訂正とを種々組み合わせた他の設定方法を採用してもよい。
【００４７】
このような確認画面３０によれば、同報送信の操作によって入力された宛先が表示される構成であるため、個別の宛先の誤操作などをチェックでき、また、同報送信の要否を簡易な操作で入力できるので、送信前に誤りを正すことができ、誤送信を防止できる。また、２つ目以降の宛先入力のつど確認画面が表示されるので、早めに訂正ができる。
【００４８】
さらに、宛先を変更できるものでは、同報入力された宛先への送信の要否の設定と組み合わせて使用することで、きめ細かな訂正の操作を行うことができ、その結果、操作の途中に停止キーでキャンセル操作をして初めからやり直すような必要性はほとんどない。
【００４９】
上記の例では宛先の入力ごとのタイミングで確認画面を表示するようにしているが、宛先の入力ごとには確認画面を表示せず、送信開始キーが入力されたときに表示するようにしてもよい。
【００５０】
図５、６は、送信開始キーが入力されたときに確認画面を表示するようにした２例の基本動作を示したフローチャートである。以下、図５、６のフローチャートに沿って個別に説明する。なお各フローに対応する装置の基本構成は図１のものと同様であるため、ブロック図は省略する。
【００５１】
図５のものは、送信開始キーが入力された時点で、確認画面を表示させて同報送信の要否を確認させるようにしたもので、表示制御部１０は、送信開始キーが入力されるまでは、入力された２つ目以降の宛先は、すべて同報送信のための入力として仮受付する（ステップ２０１〜２０５）。
【００５２】
表示制御部１０は、同報送信の操作の途中に送信開始キーが入力された時点で、２件以上の宛先が入力されている場合は、同報機能のオン／オフと確認画面のオン／オフの組合せを判別する（ステップＳ２０６〜Ｓ２０８、Ｓ２１３）。宛先の入力が１件のみの場合は、すぐに送信を開始する（ステップＳ２０６、Ｓ２１２）。なお、宛先が１件の場合でも確認画面で確認させるようにしてもよい。
【００５３】
表示制御部１０は、同報機能がオンで確認画面がオンの場合、確認画面を表示させ、その画面で仮受付した宛先について同報送信の要否を受け付けて、その要否にしたがって同報入力を決定し、決定した同報入力について送信を開始する（ステップＳ２０７〜Ｓ２１２）。また、同報機能がオンで確認画面がオフの場合、仮受付した宛先について同報入力として決定し、決定した同報入力について送信を開始する（Ｓ２０８、Ｓ２１１、Ｓ２１２）。
【００５４】
また、表示制御部１０は、同報機能がオフで確認画面がオンの場合、確認画面を表示させ、その画面で仮受付した宛先について同報送信の要否を受け付けて、その要否にしたがって同報入力を決定し、決定した同報入力について送信を開始する（ステップＳ２０７、Ｓ２１３、Ｓ２０９〜Ｓ２１２）。また、同報機能がオフで確認画面がオフの場合、仮受付した宛先をすべてキャンセルする（Ｓ２０７、Ｓ２１３、Ｓ２１４）。
【００５５】
図６のものは、同報機能がオンのときは２つ目以降の宛先を同報入力として仮受付し、同報機能がオフのときは２つ目以降の宛先を受け付けないようにしている（ステップ３０１〜３０７）。すなわち本例では、同報機能のオン／オフ設定を優先して判別しており、たとえ確認画面をオン設定していても、同報機能がオフ設定となっていれば確認画面を表示することなく、よって設定どおり同報送信は行われない。
【００５６】
表示制御部１０は、同報送信の操作の途中に送信開始キーが入力された時点で、同報機能がオフ（入力された宛先は１件のみ）の場合は、そのまま送信を開始する（ステップＳ３０３、Ｓ３０８、Ｓ３１３）。なお、同報機能がオフの場合でも確認画面で確認させるようにしてもよい。
【００５７】
また表示制御部１０は、送信開始キーが入力された時点で、同報機能がオンでかつ確認画面がオンの場合、確認画面を表示させ、その画面で仮受付の宛先について同報送信の要否を受け付けて、その要否にしたがって同報入力を決定し、決定した宛先について送信を開始する（ステップＳ３０３、Ｓ３０８〜Ｓ３１３）。
【００５８】
表示制御部１０は、同報機能がオンでかつ確認画面がオフの場合は、仮受付している宛先について同報入力を決定し、決定した宛先について送信を開始する（ステップＳ３０８、Ｓ３０９、Ｓ３１２、Ｓ３１３）。
【００５９】
図７は、図５、６の２例における確認画面３０の表示例を示す図である。これら２例については、確認画面３０は送信開始キーの操作で表示するもので、いずれも仮受付した宛先が一覧表形式で表示される。
【００６０】
仮受付した宛先は、選択キー３１で同報送信の要否の設定ができ、その後の送信キー３５の操作で、オン設定された宛先について送信が開始される。また本例では、宛先３４についての修正も可能である。
【００６１】
図５、６の２例では、送信開始キーが入力された時点で確認画面を表示させる構成であるため、確認画面は１回の同報送信の操作に対して１回しか表示されず、効率よく確認操作が行える。
【図面の簡単な説明】
【００６２】
【図１】本発明の一例であるファクシミリ装置の内部基本構成を示すブロック図である。
【図２】確認画面オン／オフスイッチと同報機能オン／オフスイッチの設定組合せによる同報受付のパターンを示す表である。
【図３】同ファクシミリ装置の基本動作を示すフローチャートである。
【図４Ａ】同ファクシミリ装置の確認画面に表示される画面の一例である。
【図４Ｂ】同ファクシミリ装置の確認画面に表示される画面の他例である。
【図４Ｃ】同ファクシミリ装置の確認画面に表示される画面のさらに他例である。
【図５】本発明の他例であるファクシミリ装置の基本動作を示すフローチャートである。
【図６】本発明のさらに他例であるファクシミリ装置の基本動作を示すフローチャートである。
【図７】図５、図６に示したファクシミリ装置の確認画面に表示される画面の一例である。
【符号の説明】
【００６３】
１      ファクシミリ装置
１０      ＣＰＵ（表示制御部）
１１      ＮＣＵ
１２      モデム
１３      スキャナ
１４      画像メモリ
１５      操作部
１５１      確認画面オン／オフスイッチ
１５２      同報機能オン／オフスイッチ
１６      表示部
３０      確認画面
【図１】
2009089136.tif 000003
【図２】
2009089136.tif 000004
【図３】
2009089136.tif 000005
【図４Ａ】
2009089136.tif 000006
【図４Ｂ】
2009089136.tif 000007
【図４Ｃ】
2009089136.tif 000008
【図５】
2009089136.tif 000009
【図６】
2009089136.tif 000010
【図７】
2009089136.tif 000011